(57)【特許請求の範囲】
【請求項１】
中心コンタクトおよび外部導体を備える同軸コネクタ・プラグが所定間隔をあけて実装され、前記中心コンタクト間に第１の回路が形成された第１の回路基板と、
固定端子およびこの固定端子に電気接触する可動端子ならびに外部端子を備え、前記同軸コネクタ・プラグが差し込まれると、前記可動端子が前記中心コンタクトに押されて前記固定端子との電気接触が離されると共に、前記外部端子が前記外部導体に電気接触する同軸コネクタ・レセプタクルが前記所定間隔をあけて実装され、前記固定端子どうしが電気接続された第２の回路基板と
から構成されるスイッチ付き同軸コネクタを用いた回路構成変換装置。
【請求項２】
前記第１の回路基板は、前記固定端子どうしが電気接続されて前記所定間隔をあけて実装された前記同軸コネクタ・レセプタクルを前記第１の回路に直列に備えることを特徴とする請求項１に記載のスイッチ付き同軸コネクタを用いた回路構成変換装置。
【請求項３】
前記同軸コネクタ・レセプタクルは前記所定間隔をあけて一体化されていることを特徴とする請求項１または請求項２に記載のスイッチ付き同軸コネクタを用いた回路構成変換装置。
【請求項４】
前記第２の回路基板は、前記固定端子間に第２の回路が形成されていることを特徴とする請求項１から請求項３のいずれか１項に記載のスイッチ付き同軸コネクタを用いた回路構成変換装置。
【発明の詳細な説明】
【技術分野】
【０００１】
本発明は、同軸コネクタ・プラグが同軸コネクタ・レセプタクルに差し込まれると、可動端子が中心コンタクトに押されて固定端子との電気接触が離されるスイッチ付き同軸コネクタを用いた回路構成変換装置に関するものである。
【背景技術】
【０００２】
従来、この種のスイッチ付き同軸コネクタを用いた回路構成変換装置としては、例えば、特許文献１に開示された基板実装用高周波切換器がある。
【０００３】
この高周波切換器は、同軸コネクタ・プラグが同軸コネクタ・レセプタクルに差し込まれていない状態では、同軸コネクタ・レセプタクルの切換バネ部の接触部が接続板部の接触部に接触しており、一方の信号導体から切換バネ部および接続板部を通して他方の信号導体へ信号が伝送される。このため、回路基板上に実装された高周波回路モジュールから出力される信号は、高周波切換器を通ってアンテナへ伝送される。一方、同軸コネクタ・プラグが同軸コネクタ・レセプタクルに差し込まれると、同軸コネクタ・プラグの外部導体が同軸コネクタ・レセプタクルの接地導体に接触すると同時に、同軸コネクタ・プラグの中心導体が切換バネ部に接触してこれをそのバネ力に抗して押し下げる。このため、切換バネ部の接触部が接続板部の接触部から離され、一方の信号導体からの信号は他方の信号導体へ伝送されなくなり、中心導体を通して取り出されて測定器へ伝送される。
【先行技術文献】
【特許文献】
【０００４】
【特許文献１】特開平８−２４１６５１号公報
【発明の概要】
【発明が解決しようとする課題】
【０００５】
しかしながら、上記従来の特許文献１に開示された高周波切換器は、高周波回路モジュールから出力される信号をアンテナへ伝送させるか、測定器へ伝送させるかの、上述した切換機能しか有していない。このため、上記従来のスイッチ付き同軸コネクタを用いた高周波切換器は、信号の伝送方向をアンテナか測定器か択一的に選択する用途以外に使用することが出来ず、利便性に欠けた。
【課題を解決するための手段】
【０００６】
本発明はこのような課題を解決するためになされたもので、
中心コンタクトおよび外部導体を備える同軸コネクタ・プラグが所定間隔をあけて実装され、中心コンタクト間に第１の回路が形成された第１の回路基板と、
固定端子およびこの固定端子に電気接触する可動端子ならびに外部端子を備え、同軸コネクタ・プラグが差し込まれると、可動端子が中心コンタクトに押されて固定端子との電気接触が離されると共に、外部端子が外部導体に電気接触する同軸コネクタ・レセプタクルが所定間隔をあけて実装され、固定端子どうしが電気接続された第２の回路基板と
から、回路構成変換装置を構成した。
【０００７】
本構成によれば、第２の回路基板に所定間隔をあけて実装された各同軸コネクタ・レセプタクルに、第１の回路基板に同じ所定間隔をあけて実装された各同軸コネクタ・プラグが差し込まれると、各同軸コネクタ・レセプタクルの可動端子がそれぞれ各同軸コネクタ・プラグの中心コンタクトに押されて、各可動端子は各固定端子との電気接触が離され、各中心コンタクトと電気接触する。このため、各同軸コネクタ・レセプタクルの可動端子間には、第１の回路基板に形成された第１の回路が介挿される。従って、一方の同軸コネクタ・レセプタクルの可動端子から入力される信号は、一方の同軸コネクタ・プラグの中心コンタクトを通って第１の回路に与えられ、他方の同軸コネクタ・プラグの中心コンタクトを通って他方の同軸コネクタ・レセプタクルの可動端子から出力される。よって、同軸コネクタ・レセプタクルを含んで第２の回路基板に構成された回路に、第１の回路基板に形成された第１の回路を追加することが可能になる。この結果、今までにない新たな回路変換機能を持った回路構成変換装置がスイッチ付き同軸コネクタを用いて提供され、利便性が向上する。
【０００８】
また、本発明は、第１の回路基板が、固定端子どうしが電気接続されて所定間隔をあけて実装された同軸コネクタ・レセプタクルを第１の回路に直列に備えることを特徴とする。
【０００９】
本構成によれば、第１の回路基板に所定間隔をあけて実装された各同軸コネクタ・レセプタクルに、同様な構成をした別の第１の回路基板に同じ所定間隔をあけて実装された各同軸コネクタ・プラグが差し込まれると、第１の回路基板に形成された第１の回路に直列に、別の第１の回路基板に形成された第１の回路が接続される。このため、第２の回路基板に実装された各同軸コネクタ・レセプタクルに、第１の回路基板に実装された各同軸コネクタ・プラグが差し込まれ、第１の回路基板に実装された各同軸コネクタ・レセプタクルに、別の第１の回路基板に実装された各同軸コネクタ・プラグが差し込まれると、第２の回路基板に構成された回路に、第１の回路基板に形成された第１の回路、および、別の第１の回路基板に形成された第１の回路を直列に追加することが可能になる。ここで、別の第１の回路基板に第１の回路に代えて第３の回路を形成しておくと、第２の回路基板に構成された回路に、第１の回路基板に形成された第１の回路、および、別の第１の回路基板に形成された第３の回路を直列に追加することが可能になる。
【００１０】
この構成で、さらに、別の第１の回路基板に所定間隔をあけて実装された各同軸コネクタ・レセプタクルに、同様な構成をした第２の別の第１の回路基板に同じ所定間隔をあけて実装された各同軸コネクタ・プラグが差し込まれると、別の第１の回路基板に形成された第１の回路または第３の回路に直列に、第２の別の第１の回路基板に形成された第１の回路が接続される。ここで、第２の別の第１の回路基板に第１の回路に代えて第４の回路を形成しておくと、第２の回路基板に構成された回路に、第１の回路基板に形成された第１の回路、別の第１の回路基板に形成された第１の回路または第３の回路、および、第２の別の第１の回路基板に形成された第１の回路または第４の回路を直列に追加することが可能になる。
【００１１】
同様にしてさらに別の第１の回路基板を追加接続することで、第２の回路基板に構成された回路に、所望の回路をさらに追加することが可能になる。このように第１の回路基板をいわゆる入れ子構造にすることで、第２の回路基板に構成された回路により複雑な構成をした回路を組み入れることが可能になる。
【００１２】
また、本発明は、同軸コネクタ・レセプタクルが所定間隔をあけて一体化されていることを特徴とする。
【００１３】
本構成によれば、複数の同軸コネクタ・レセプタクルが一体化されることで、同軸コネクタ・レセプタクルの回路基板への実装組み立て性が向上し、実装コストが低減する。また、各同軸コネクタ・レセプタクルの固定端子どうしを予め電気接続して一体化しておくことで、実装組み立て時における接続不良発生の要因が無くなり、接続の信頼性が高まる。
【００１４】
また、本発明は、第２の回路基板が、固定端子間に第２の回路が形成されていることを特徴とする。
【００１５】
本構成によれば、第２の回路基板に実装された各同軸コネクタ・レセプタクルに、第１の回路基板に実装された各同軸コネクタ・プラグが差し込まれると、各同軸コネクタ・プラグの可動端子は固定端子との電気接触が離され、第２の回路基板に形成されている第２の回路の両端が開放される。これと共に、各同軸コネクタ・レセプタクルの可動端子は、各同軸コネクタ・プラグの中心コンタクトを介して、第１の回路基板に形成されている第１の回路の両端に電気接続される。このため、第２の回路基板に実装されている各同軸コネクタ・レセプタクル間には、第２の回路に代えて、第１の回路基板に形成されている第１の回路が接続される。ここで、第１の回路基板に第１の回路に代えて第３の回路を形成しておくと、第２の回路基板に実装されている各同軸コネクタ・レセプタクル間に、第２の回路に代えて第３の回路を接続させることができる。この結果、本構成によれば、第２の回路基板に形成されている第２の回路を所望の回路に変更することが可能になる。
【発明の効果】
【００１６】
本発明によれば、上記のように、今までにない新たな回路変換機能を持った回路構成変換装置がスイッチ付き同軸コネクタを用いて提供され、利便性が向上する。
【図面の簡単な説明】
【００１７】
【図１】（ａ）は本発明の第１の実施形態によるスイッチ付き同軸コネクタを用いた回路構成変換装置の各回路基板が分離した状態の斜視図、（ｂ）はその等価回路図である。
【図２】（ａ）は図１に示す回路構成変換装置を構成するスイッチ付き同軸コネクタのプラグがレセプタクルに差し込まれる前の状態の断面図、（ｂ）はその等価回路図である。
【図３】図１に示す回路構成変換装置の各回路基板がスイッチ付き同軸コネクタで結合した状態の斜視図、（ｂ）はその等価回路図である。
【図４】（ａ）は図１に示す回路構成変換装置を構成するスイッチ付き同軸コネクタのプラグがレセプタクルに差し込まれた状態の断面図、（ｂ）はその等価回路図である。
【図５】（ａ）は本発明の第２の実施形態によるスイッチ付き同軸コネクタを用いた回路構成変換装置の各回路基板が分離した状態の斜視図、（ｂ）は各回路基板がスイッチ付き同軸コネクタで結合したときの等価回路図である。
【図６】（ａ）は本発明の第３の実施形態によるスイッチ付き同軸コネクタを用いた回路構成変換装置の各回路基板が分離した状態の斜視図、（ｂ）はその等価回路図である。
【図７】（ａ）は図６に示す回路構成変換装置の各回路基板がスイッチ付き同軸コネクタで結合した状態の斜視図、（ｂ）はその等価回路図である。
【発明を実施するための形態】
【００１８】
次に、本発明によるスイッチ付き同軸コネクタを用いた回路構成変換装置の第１の実施の形態について説明する。
【００１９】
図１（ａ）は、本実施形態によるスイッチ付き同軸コネクタを用いた回路構成変換装置１の斜視図を示す。
【００２０】
回路構成変換装置１は、同軸コネクタ・プラグ２ａ，２ｂが所定間隔Ｌをあけて共に下向きに実装された第１の回路基板３と、同軸コネクタ・レセプタクル４ａ，４ｂが同じ所定間隔Ｌをあけて共に上向きに実装された第２の回路基板５とから構成される。
【００２１】
同軸コネクタ・プラグ２ａ，２ｂおよび同軸コネクタ・レセプタクル４ａ，４ｂは、スイッチ付き同軸コネクタを構成し、図２（ａ）の断面図に示される概略スイッチ構造をしている。
【００２２】
同軸コネクタ・レセプタクル４ａ，４ｂは、面実装可能な構造をしており、絶縁ケース６の内部空間７に、金属製の固定端子８、およびバネ性を有する金属材料からなる可動端子９を備えて構成されている。絶縁ケース６の内部空間７は円柱形状をしており、上側が導入口１０として円形に開口している。固定端子８の一端は、絶縁ケース６の一方の側壁から内部空間７に水平に突出しており、可動端子９の一端は、絶縁ケース６の他方の側壁から内部空間７の奥まで突出し、その先端部分の上面が固定端子８の下面に形成された接点８ａに電気接触している。また、固定端子８および可動端子９の各他端は、共に、絶縁ケース６の側壁の外表面を伝って絶縁ケース６の下側へ回り込んでいる。また、絶縁ケース６の両側壁の上面には、金属製の外部端子１１が露出している。この外部端子１１も、図示しないが、絶縁ケース６の側壁の外表面を伝って絶縁ケース６の下側へ回り込んでいる。
【００２３】
同軸コネクタ・プラグ２ａ，２ｂは、中心部に導電性を有する材質からなる中心コンタクト２１、外周部に外部導体２２を備えた円筒状をしており、その先端部からは円柱状の中心コンタクト２１が突出している。同軸コネクタ・プラグ２ａ，２ｂが同軸コネクタ・レセプタクル４ａ，４ｂに装着されていない状態では、同図に示すように、可動端子９がそのバネ性による付勢力で固定端子８に電気接触している。
【００２４】
図１（ａ）に示す第１の回路基板３には、同軸コネクタ・プラグ２ａ，２ｂの各中心コンタクト２１，２１間に、配線パターン３１ａ，３１ｂを介して第１の回路４１が形成されている。なお、同図（ａ）に示す点線は、配線パターン３１ａ，３１ｂと各中心コンタクト２１，２１とが第１の回路基板３の基板内で電気的に接続されていることを表している。第１の回路４１の接地電位は図示しないアースパターンに接続されており、同軸コネクタ・プラグ２ａ，２ｂの各外部導体２２はこのアースパターンに電気的に接続されている。
【００２５】
同軸コネクタ・レセプタクル４ａ，４ｂは、各可動端子９が外側に互いに離反し、各固定端子８が内側に互いに隣接して、第２の回路基板５に実装されている。そして、各固定端子８，８どうしは、配線パターン３２を介して電気的に短絡接続されている。本実施形態では、同軸コネクタ・レセプタクル４ａ，４ｂ間の所定間隔Ｌは極端に狭く設定されており、固定端子８，８どうし間に生じる抵抗成分や、誘導成分、容量成分が極めて低く抑えられている。また、一方の同軸コネクタ・レセプタクル４ａの可動端子９が配線パターン３３ａ、他方の同軸コネクタ・レセプタクル４ａの可動端子９が配線パターン３３ｂに接続されることで、同軸コネクタ・レセプタクル４ａ，４ｂは、第２の回路基板５に形成された図示しない回路に介挿されている。同軸コネクタ・レセプタクル４ａ，４ｂの各外部端子１１は、この回路の接地電位につながるアースパターンに電気的に接続されている。
【００２６】
図１（ｂ）は、同図（ａ）に示す回路構成変換装置１の等価回路図を示す。この等価回路図では信号が伝搬する信号線のみを表しており、基準電位となる接地電位線の図示は簡略化のために省略している。なお、同図（ｂ）において同図（ａ）と同一部分には同一符号を付してその説明は省略する。
【００２７】
同軸コネクタ・プラグ２ａ，２ｂが同軸コネクタ・レセプタクル４ａ，４ｂに差し込まれていない同図に示す状態では、固定端子８および可動端子９が電気的に接続され、可動端子９および中心コンタクト２１間は離れている。このため、第２の回路基板５における配線パターン３３ａ，３３ｂ間は短絡状態にあり、第２の回路基板５に形成された図示しない回路はこの同軸コネクタ・レセプタクル４ａ，４ｂの実装箇所で閉じている。また、第１の回路基板３に形成された第１の回路４１は何にも接続されずに、電気的に浮いた状態にある。
【００２８】
このような回路構成変換装置１において、図３（ａ）に示すように、第１の回路基板３に実装された同軸コネクタ・プラグ２ａ，２ｂは、第２の回路基板５に実装された同軸コネクタ・レセプタクル４ａ，４ｂに差し込まれる。なお、同図（ａ）において図１（ａ）と同一部分には同一符号を付してその説明は省略する。すると、同軸コネクタ・レセプタクル４ａ，４ｂは、図４（ａ）の断面図に示す状態になる。なお、同図（ａ）において図２（ａ）と同一部分には同一符号を付してその説明は省略する。
【００２９】
つまり、同軸コネクタ・プラグ２ａ，２ｂが同軸コネクタ・レセプタクル４ａ，４ｂに装着されると、同軸コネクタ・プラグ２ａ，２ｂの各中心コンタクト２１が同軸コネクタ・レセプタクル４ａ，４ｂの各導入口１０に差し込まれ、各中心コンタクト２１により各可動端子９が下方へ押し下げられる。このため、各可動端子９が各固定端子８から離れて電気接触が離されると共に、各中心コンタクト２１と各可動端子９とが電気接触する。同時に、同軸コネクタ・プラグ２ａ，２ｂの各外部導体２２が同軸コネクタ・レセプタクル４ａ，４ｂの各外部端子１１に電気接触する。この結果、固定端子８と可動端子９との電気的接続が図４（ｂ）の等価回路図に示すように断たれ、中心コンタクト２１と可動端子９とが電気的に接続される。なお、同図（ｂ）において同図（ａ）と同一部分には同一符号を付してその説明は省略する。
【００３０】
図３（ｂ）は、この状態の時の回路構成変換装置１の等価回路図を示す。この等価回路図でも信号が伝搬する信号線のみを表しており、基準電位となる接地電位線の図示は簡略化のために省略している。なお、同図（ｂ）において同図（ａ）と同一部分には同一符号を付してその説明は省略する。
【００３１】
同軸コネクタ・プラグ２ａ，２ｂが同軸コネクタ・レセプタクル４ａ，４ｂに差し込まれた同図に示す状態では、固定端子８と可動端子９との電気的接続が離され、第２の回路基板５に形成された図示しない回路は、この同軸コネクタ・レセプタクル４ａ，４ｂの実装箇所で開くことになる。しかし、この状態では、可動端子９と中心コンタクト２１とが電気的に接続されるため、第２の回路基板５に形成された図示しない回路には、第１の回路基板３に形成された第１の回路４１が介挿される。
【００３２】
従って、配線パターン３３ａを介して一方の同軸コネクタ・レセプタクル４ａの可動端子９から入力される信号は、一方の同軸コネクタ・プラグ２ａの中心コンタクト２１および配線パターン３１ａを通って第１の回路４１に与えられる。さらに、配線パターン３１ｂを介して、他方の同軸コネクタ・プラグ２ｂの中心コンタクト２１を通り、他方の同軸コネクタ・レセプタクル４ｂの可動端子９から配線パターン３３ｂへ出力される。よって、同軸コネクタ・レセプタクル４ａ，４ｂを含んで第２の回路基板５に構成された回路に、半田付け等の作業をすることなく、容易に、第１の回路基板３に形成された第１の回路４１を追加することが可能になる。この結果、今までにない新たな回路変換機能を持った回路構成変換装置１がスイッチ付き同軸コネクタを用いて提供され、利便性が向上する。
【００３３】
次に、本発明によるスイッチ付き同軸コネクタを用いた回路構成変換装置の第２の実施の形態について説明する。
【００３４】
図５（ａ）は、本実施形態によるスイッチ付き同軸コネクタを用いた回路構成変換装置５１の斜視図を示す。なお、同図（ａ）において図１（ａ）と同一部分には同一符号を付してその説明は省略する。
【００３５】
本実施形態による回路構成変換装置５１は、第１の回路基板３ａおよび第２の回路基板５ａに加え、第３の回路基板３ｂを備えて構成されている。第１の回路基板３ａは、第１の回路４１に直列に、同軸コネクタ・レセプタクル４ａ，４ｂが所定間隔Ｌをあけて共に上向きに実装されている点が、上記の第１の実施形態による回路構成変換装置１における第１の回路基板３と相違している。この同軸コネクタ・レセプタクル４ａ，４ｂは、第２の回路基板５と同様に、各可動端子９が外側に互いに離反し、各固定端子８が内側に互いに隣接して、絶縁ケース６が一体成型されて一体化されて、第１の回路基板３ａに実装されている。各固定端子８，８どうしは、一体成型時に電気的に短絡接続されている。本実施形態でも、所定間隔Ｌは極端に狭く設定されており、固定端子８，８どうし間に生じる抵抗成分や、誘導成分、容量成分が極めて低く抑えられている。
【００３６】
同図の右側の同軸コネクタ・レセプタクル４ｂの可動端子９は配線パターン３１ｃに接続されており、この配線パターン３１ｃは同図の右側の同軸コネクタ・プラグ２ｂの中心コンタクト２１に接続されている。同図に示す点線は、配線パターン３１ｃと同軸コネクタ・プラグ２ｂの中心コンタクト２１とが第１の回路基板３ａの基板内で電気的に接続されていることを表している。従って、第１の回路基板３ａは、固定端子８どうしが電気接続されて所定間隔Ｌをあけて実装された同軸コネクタ・レセプタクル４ａ，４ｂを、同軸コネクタ・プラグ２ａ，２ｂの中心コンタクト２１，２１間に第１の回路４１に直列に備える。
【００３７】
第３の回路基板３ｂは、第１の回路４１に代えて第３の回路４３が形成されている点以外、上記の第１の回路基板３ａと同様な構成をしている。また、第２の回路基板５ａは、同軸コネクタ・レセプタクル４ａ，４ｂが上記のように一体化されている点以外、上記の第１の実施形態による回路構成変換装置１における第２の回路基板５と同様な構成をしている。
【００３８】
このような回路構成変換装置５１において、第１の回路基板３ａに所定間隔Ｌをあけて実装された各同軸コネクタ・レセプタクル４ａ，４ｂに、同様な構成をした別の第１の回路基板である第３の回路基板３ｂに同じ所定間隔Ｌをあけて実装された各同軸コネクタ・プラグ２ａ，２ｂが差し込まれると、第１の回路基板３ａに形成された第１の回路４１に直列に、第３の回路基板３ｂに形成された第３の回路４３が接続される。このため、第２の回路基板５ａに実装された各同軸コネクタ・レセプタクル４ａ，４ｂに、第１の回路基板３ａに実装された各同軸コネクタ・プラグ２ａ，２ｂが差し込まれ、第１の回路基板３ａに実装された各同軸コネクタ・レセプタクル４ａ，４ｂに、第３の回路基板３ｂに実装された各同軸コネクタ・プラグ２ａ，２ｂが差し込まれると、第２の回路基板５ａに構成された回路に、第１の回路基板３ａに形成された第１の回路４１、および、第３の回路基板３ｂに形成された第３の回路４３が直列に追加される。
【００３９】
図５（ｂ）はこの時の回路構成変換装置５１の等価回路図を示す。この等価回路図でも信号が伝搬する信号線のみを表しており、基準電位となる接地電位線の図示は簡略化のために省略している。なお、同図（ｂ）において同図（ａ）と同一部分には同一符号を付してその説明は省略する。
【００４０】
第１の回路基板３ａに実装された同軸コネクタ・プラグ２ａ，２ｂが、第２の回路基板５ａに実装された同軸コネクタ・レセプタクル４ａ，４ｂに差し込まれると共に、第３の回路基板３ｂに実装された同軸コネクタ・プラグ２ａ，２ｂが、第１の回路基板３ａに実装された同軸コネクタ・レセプタクル４ａ，４ｂに差し込まれた同図に示す状態では、第２の回路基板５および第１の回路基板３ａにおける各同軸コネクタ・レセプタクル４ａ，４ｂの固定端子８と可動端子９との電気的接続が離され、各可動端子９は同軸コネクタ・プラグ２ａ，２ｂの各中心コンタクト２１に電気的に接続される。このため、第２の回路基板５ａの配線パターン３３ａに入力した信号は、左側の同軸コネクタ・レセプタクル４ａの可動端子９を通り、第１の回路基板３ａの同軸コネクタ・プラグ２ａの中心コンタクト２１を経て第１の回路基板３ａに移り、第１の回路４１へ与えられる。さらに、第１の回路基板３ａの左側の同軸コネクタ・レセプタクル４ａの可動端子９を通り、第３の回路基板３ｂの同軸コネクタ・プラグ２ａの中心コンタクト２１を経て第３の回路基板３ｂに移り、第３の回路４３へ与えられる。その後、第３の回路基板３ｂの左側の同軸コネクタ・レセプタクル４ａの可動端子９、固定端子８、右側の同軸コネクタ・レセプタクル４ｂの固定端子８、可動端子９を通り、右側の同軸コネクタ・プラグ２ｂの中心コンタクト２１を経て第１の回路基板３ａに移る。さらに、第１の回路基板３ａの右側の同軸コネクタ・レセプタクル４ｂの可動端子９を通り、右側の同軸コネクタ・プラグ２ｂの中心コンタクト２１を経て第２の回路基板５ａに移り、その右側の同軸コネクタ・レセプタクル４ｂの可動端子９を通って配線パターン３３ｂに伝わり、元の回路に戻る。
【００４１】
ここで、第３の回路基板３ｂに第３の回路４３に代えて第１の回路４１を形成しておくと、第２の回路基板５ａに構成された回路に、第１の回路基板３ａに形成された第１の回路４１、および、第３の回路基板３ｂに形成された第１の回路４１を直列に追加することが可能になる。
【００４２】
この構成で、さらに、第３の回路基板３ｂに所定間隔Ｌをあけて実装された各同軸コネクタ・レセプタクル４ａ，４ｂに、同様な構成をした図示しない第２の別の第１の回路基板に同じ所定間隔Ｌをあけて実装された各同軸コネクタ・プラグ２ａ，２ｂが差し込まれると、第３の回路基板３ｂに形成された第３の回路４３または第１の回路４１に直列に、第２の別の第１の回路基板に形成された第１の回路４１が接続される。ここで、第２の別の第１の回路基板に第１の回路４１に代えて図示しない第４の回路を形成しておくと、第２の回路基板５ａに構成された回路に、第１の回路基板３ａに形成された第１の回路４１、第３の回路基板３ｂに形成された第３の回路４３または第１の回路４１、および、図示しない第２の別の第１の回路基板に形成された第１の回路４１または第４の回路を直列に追加することが可能になる。
【００４３】
同様にしてさらに別の第１の回路基板を追加接続することで、第２の回路基板５ａに構成された回路に、所望の回路をさらに追加することが可能になる。このように第１の回路基板３ａ、３ｂ、…をいわゆる入れ子構造にすることで、第２の回路基板５ａに構成された回路により複雑な構成をした回路を組み入れることが可能になる。
【００４４】
また、本実施形態による回路構成変換装置５１では、同軸コネクタ・レセプタクル４ａ，４ｂが一体化されているので、同軸コネクタ・レセプタクル４ａ，４ｂの回路基板３ａ、３ｂ、…、５ａへの実装組み立て性が向上し、実装コストが低減する。また、各同軸コネクタ・レセプタクル４ａ，４ｂの固定端子８どうしを予め電気接続して一体化しておくことで、実装組み立て時における接続不良発生の要因が無くなり、接続の信頼性が高まる。
【００４５】
次に、本発明によるスイッチ付き同軸コネクタを用いた回路構成変換装置の第３の実施の形態について説明する。
【００４６】
図６（ａ）は、本実施形態によるスイッチ付き同軸コネクタを用いた回路構成変換装置６１の斜視図を示す。なお、同図（ａ）において図１（ａ）と同一または相当する部分には同一符号を付してその説明は省略する。
【００４７】
本実施形態による回路構成変換装置６１は、第２の回路基板５ｂにおける同軸コネクタ・レセプタクル４ａ，４ｂの固定端子８，８間に第２の回路４２が形成されている点、ならびに、同軸コネクタ・レセプタクル４ａ，４ｂおよび同軸コネクタ・プラグ２ａ，２ｂが、上述した第１の実施形態よりも広い所定間隔Ｌａで第２の回路基板５ｂおよび第１の回路基板３ｃに実装されている点が、第１の実施形態による回路構成変換装置１と異なっている。
【００４８】
図６（ｂ）は、同図（ａ）に示す回路構成変換装置６１の等価回路図を示す。この等価回路図でも信号が伝搬する信号線のみを表しており、基準電位となる接地電位線の図示は簡略化のために省略している。なお、同図（ｂ）において同図（ａ）と同一部分には同一符号を付してその説明は省略する。
【００４９】
同軸コネクタ・プラグ２ａ，２ｂが同軸コネクタ・レセプタクル４ａ，４ｂに差し込まれていない同図に示す状態では、固定端子８および可動端子９が電気的に接続され、可動端子９および中心コンタクト２１間は離れているため、第２の回路基板５ｂにおける配線パターン３３ａ，３３ｂ間には第２の回路４２が介挿された状態にある。また、第１の回路基板３ｃに形成された第１の回路４１は何にも接続されずに、電気的に浮いた状態にある。
【００５０】
このような回路構成変換装置６１において、図７（ａ）に示すように、第１の回路基板３ｃに実装された同軸コネクタ・プラグ２ａ，２ｂが、第２の回路基板５ｂに実装された同軸コネクタ・レセプタクル４ａ，４ｂに差し込まれると、同軸コネクタ・レセプタクル４ａ，４ｂは、可動端子９が中心コンタクト２１に押されて固定端子８との電気接触が離されると共に、外部端子１１が同軸コネクタ・プラグ２ａ，２ｂの外部導体２２に電気接触する。なお、同図（ａ）において図６（ａ）と同一部分には同一符号を付してその説明は省略する。
【００５１】
図７（ｂ）は、この状態の時の回路構成変換装置６１の等価回路図を示す。この等価回路図でも信号が伝搬する信号線のみを表しており、基準電位となる接地電位線の図示は簡略化のために省略している。なお、同図（ｂ）において同図（ａ）と同一部分には同一符号を付してその説明は省略する。
【００５２】
同軸コネクタ・プラグ２ａ，２ｂが同軸コネクタ・レセプタクル４ａ，４ｂに差し込まれた同図に示す状態では、固定端子８と可動端子９との電気的接続が離され、第２の回路基板５ｂに形成された第２の回路４２はその両端が配線パターン３３ａ，３３ｂから切り離される。また、この状態では、可動端子９と中心コンタクト２１とが電気的に接続されるため、第１の回路基板３ｃに形成された第１の回路４１は、半田付け等の作業をすることなく、容易に、第２の回路基板５に形成された第２の回路４２に代えて、同軸コネクタ・レセプタクル４ａ，４ｂ間に介挿される。
【００５３】
ここで、第１の回路基板３ｃに第１の回路４１に代えて第３の回路４３を形成しておくと、第２の回路基板５ｂに実装されている各同軸コネクタ・レセプタクル４ａ，４ｂ間に、第２の回路４２に代えて第３の回路４３を接続させることができる。この結果、本実施形態による回路構成変換装置６１によれば、第２の回路基板５ｂに形成されている第２の回路４２を所望の回路に変更することが可能になる。
【００５４】
また、第２の実施形態による図５に示す回路構成変換装置５１における第２の回路基板５ａにも、同様に、同軸コネクタ・レセプタクル４ａ，４ｂ間に第２の回路４２を形成しておくことで、上記の第３の実施形態による回路構成変換装置６１と同様な作用効果が奏され、第２の回路基板５ａに形成されている第２の回路４２を複雑な所望の回路に変更することが可能になる。
【産業上の利用可能性】
【００５５】
上記各実施形態による回路構成変換装置１，５１，６１は、携帯電話を始めとするデジタル無線通信機器のＲＦ回路などに用いられる。
【００５６】
例えば、第１の実施形態による図１および図３に示す回路構成変換装置１において、第１の回路４１の両端間にコンデンサを接続しておき、必要に応じ、第１の回路基板３に実装されている同軸コネクタ・プラグ２ａ，２ｂを第２の回路基板５に実装されている同軸コネクタ・レセプタクル４ａ，４ｂに嵌合させることで、第２の回路基板５に形成されている高周波回路の電源ラインにコンデンサを追加して、回路電源を安定化させることが出来る。また、第１の回路４１の両端間にフェライトビーズを接続しておき、必要に応じ、第１の回路基板３に実装されている同軸コネクタ・プラグ２ａ，２ｂを第２の回路基板５に実装されている同軸コネクタ・レセプタクル４ａ，４ｂに嵌合させることで、第２の回路基板５に形成されている高周波回路にフェライトビーズを追加して、第２の回路基板５から放射される電磁波ノイズを抑制させることが出来る。
【００５７】
また、第３の実施形態による図６および図７に示す回路構成変換装置６１において、第２の回路４２の両端間にコンデンサ、第１の回路４１の両端間にフェライトビーズを接続しておき、必要に応じ、第１の回路基板３ｃに実装されている同軸コネクタ・プラグ２ａ，２ｂを第２の回路基板５ｂに実装されている同軸コネクタ・レセプタクル４ａ，４ｂに嵌合させることで、第２の回路基板５ｂに形成されている高周波回路に介挿されているコンデンサをフェライトビーズに変更することが出来る。また、第２の回路４２の両端間に１μＦのコンデンサ、第１の回路４１の両端間に１０μＦのコンデンサを接続しておき、必要に応じ、第１の回路基板３ｃに実装されている同軸コネクタ・プラグ２ａ，２ｂを第２の回路基板５ｂに実装されている同軸コネクタ・レセプタクル４ａ，４ｂに嵌合させることで、第２の回路基板５ｂに形成されている高周波回路に介挿されているコンデンサの容量を１μＦから１０μＦに変更することが出来る。
【符号の説明】
【００５８】
１，５１，６１…回路構成変換装置
２ａ，２ｂ…同軸コネクタ・プラグ
３，３ａ，３ｃ…第１の回路基板
３ｂ…第３の回路基板（別の第１の回路基板）
４ａ，４ｂ…同軸コネクタ・レセプタクル
５…第２の回路基板
６…絶縁ケース
７…内部空間
８…固定端子
８ａ…接点
９…可動端子
１０…導入口
１１…外部端子
２１…中心コンタクト
２２…外部導体
３１ａ，３１ｂ，３２，３３ａ，３３ｂ…配線パターン
４１…第１の回路
４２…第２の回路
４３…第３の回路
Ｌ，Ｌａ…所定間隔
【図１】
0005760733.tif 000002
【図２】
0005760733.tif 000003
【図３】
0005760733.tif 000004
【図４】
0005760733.tif 000005
【図５】
0005760733.tif 000006
【図６】
0005760733.tif 000007
【図７】
0005760733.tif 000008